(57)【要約】【課題】壁を押圧しなくても設置可能な保護ゲートを提供する。【解決手段】ゲート扉１の一側に設けられる回転軸２を、既存の扉Ａに着脱可能に固定される軸受け３に回転自在に軸支させてゲート扉１を既存の扉Ａに取り付ける。ゲート扉１にはゲート扉１から既存の扉Ａが設けられている屋内の床まで進退自在な落とし部材４が設けられており、落とし部材４の先端には床に着脱可能に接着する吸盤５が設けられている。既存の扉Ａに設けられた磁性挟持具６とゲート扉７に設けられた磁石７とによってゲート扉１が既存の扉Ａに対して着脱可能に固定される。【選択図】図１
2009091878.tif 000002
【特許請求の範囲】
【請求項１】
既存の扉に取り付けられる保護ゲートであって、
ゲート扉と、
前記ゲート扉の一側部で前記既存の扉に対してゲート扉を回動自在に支持する回動部材と、
前記ゲート扉の回動を止める回動停止機構と、
を有する保護ゲート。
【請求項２】
前記回動部材は、前記ゲート扉の一側に設けられる回転軸と、前記既存の扉に着脱可能に固定され、前記回転軸を回転自在に軸支する軸受けとを有し、
前記軸受けは、前記既存の扉に着脱可能に挟持される基部と、前記基部に固定され前記回転軸が挿入される筒とを有することを特徴とする請求項１記載の保護ゲート。
【請求項３】
前記回動停止機構は、前記ゲート扉から前記既存の扉が設けられている屋内の壁又は床まで進退自在な可動部材と、前記可動部材を前記壁又は床に止める抑止部材とを有することを特徴とする請求項１又は２に記載の保護ゲート。
【請求項４】
前記回動停止機構として、前記既存の扉と前記ゲート扉とを着脱可能に接着する一体化機構をさらに有することを特徴とする請求項１〜３のいずれか一項に記載の保護ゲート。
【請求項５】
前記回動停止機構は、前記回転軸が嵌まり込む、前記筒の上縁を切り欠いた切り欠き部であることを特徴とする請求項２に記載の保護ゲート。
【発明の詳細な説明】
【技術分野】
【０００１】  本発明は、屋内における乳幼児の通行を規制する保護ゲートに関し、特に屋内に既に設けられている扉に取り付けられる保護ゲートに関する。
【背景技術】
【０００２】  屋内における乳幼児の安全の確保の観点から、屋内における乳幼児の通行を規制する種々の保護ゲートが知られている（例えば、特許文献１及び２参照。）。【０００３】  保護ゲートは、一般に、保護ゲートの扉を回動停止可能に支持する枠を、屋内の一対の壁に突っ張るようにして固定して設けられる。このため、屋内における保護ゲートの設置箇所は、柱が通っている壁に通常は限定される。このような保護ゲートにおいては、屋内において保護ゲートを設置可能な箇所は分かりにくく、また設置可能な箇所と保護ゲートを設けたい箇所とが一致しない場合がある。
【特許文献１】国際公開０５／０３１０９６号パンフレット
【特許文献２】特開２００４−１５００５３号公報
【発明の開示】
【発明が解決しようとする課題】
【０００４】  本発明は、壁を押圧しなくても設置可能な保護ゲートを提供する。
【課題を解決するための手段】
【０００５】  本発明は、屋内に既に設けられている扉に設けることができる保護ゲートを提供する。【０００６】  すなわち本発明の保護ゲートは、既存の扉に取り付けられる保護ゲートであって、ゲート扉と、前記ゲート扉の一側部で前記既存の扉に対してゲート扉を回動自在に支持する回動部材と、前記ゲート扉の回動を止める回動停止機構とを有する。前記保護ゲートは、既存の扉に回動可能に設けることが可能である。【０００７】  本発明の保護ゲートは、前記回動部材が、前記ゲート扉の一側に設けられる回転軸と、前記既存の扉に着脱可能に固定され、前記回転軸を回転自在に軸支する軸受けとを有し、前記軸受けが、前記既存の扉に着脱可能に挟持される基部と、前記基部に固定され前記回転軸が挿入される筒とを有していてもよい。このような保護ゲートは、軸受けを固定するための穴を既存の扉に設けることなく既存の扉に回動可能に設けることが可能である。【０００８】  本発明の保護ゲートは、前記回動停止機構が、前記ゲート扉から前記既存の扉が設けられている屋内の壁又は床まで進退自在な可動部材と、前記可動部材を前記壁又は床に止める抑止部材とをさらに有していてもよい。このような保護ゲートは、ゲート扉の回動における所望の位置や、前記壁に最も接近した位置でゲート扉を固定することが可能となる。【０００９】  本発明の保護ゲートは、前記回動停止機構として、前記既存の扉と前記ゲート扉とを着脱可能に接着する一体化機構をさらに有していてもよい。このような保護ゲートは、ゲート扉を既存の扉に一体的に収容することが可能となる。【００１０】  本発明の保護ゲートは、前記回動停止機構が、前記回転軸が嵌まり込む、前記筒の上縁を切り欠いた切り欠き部であってもよい。このような保護ゲートは、ゲート扉の回動を所定の開度で簡易な構成で停止させることが可能である。
【発明の効果】
【００１１】  本発明の保護ゲートは、前記ゲート扉と、前記回動部材と、前記回動停止機構とを有することから、既存の扉に回動可能に設けることができるので、壁を押圧しなくても設置することができる。【００１２】  本発明の保護ゲートは、前記回動部材が前記回転軸と前記軸受けとを有し、前記軸受けが前記既存の扉に着脱可能に挟持される基部と、前記基部に固定され前記回転軸が挿入される筒とを有していると、既存の扉を傷つけずに本発明の保護ゲートを設ける観点からより効果的である。【００１３】  本発明の保護ゲートは、前記回動停止機構が、前記ゲート扉から前記既存の扉が設けられている屋内の壁又は床まで進退自在な可動部材と、前記可動部材を前記壁又は床に止める抑止部材とを有していると、乳幼児の通行の規制に適した位置でゲート扉を固定する観点からより効果的である。【００１４】  本発明の保護ゲートは、前記回動停止機構として、前記既存の扉と前記ゲート扉とを着脱可能に接着する一体化機構をさらに有していると、ゲート扉を使用しないときにゲート扉を既存の扉に一体的に収容する観点からより効果的である。【００１５】  本発明の保護ゲートは、前記回動停止機構が、前記回転軸が嵌まり込む、前記筒の上縁を切り欠いた切り欠き部であると、ゲート扉の回動を所定の開度で簡易な構成で停止させる観点からより効果的である。
【図面の簡単な説明】
【００１６】
【図１】本発明の一実施の形態の保護ゲートが既存の扉Ａに取り付けられている様子を示す図である。
【図２】図１のゲート扉１を示す図である。
【図３】図１の軸受け３を示す図である。
【図４】図３の軸受け３の平面図である。
【図５】図１の磁性挟持具６を示す図である。
【図６】図１の保護ゲートのゲート扉１を所定の開度で固定した様子を示す図である。
【図７】本発明の他の実施の形態の保護ゲートにおける軸受け２１を示す図である。
【図８】本発明の他の実施の形態の保護ゲートにおけるゲート扉２２を示す図である。
【符号の説明】
【００１７】１、２２  ゲート扉
２  回転軸
３、２１  軸受け
４  落とし部材
５  吸盤
６  磁性挟持具
７  磁石
８  収容部
９  基部
１０、２５  筒
１１、１２  ボルト
２３、２４  切り欠き部
２６  取っ手
Ａ  既存の扉
【発明を実施するための最良の形態】
【００１８】  本発明の保護ゲートは、ゲート扉と、前記ゲート扉の一側部で前記既存の扉に対してゲート扉を回動自在に支持する回動部材と、前記ゲート扉の回動を止める回動停止機構とを有する。【００１９】  前記ゲート扉は、乳幼児の通行を規制できる大きさであればよい。このようなゲート扉としては、例えば高さが１ｍ程度、幅が前記既存の扉の幅と同じかそれよりも１０ｃｍ程度狭いゲート扉が挙げられる。ゲート扉は、開口部が設けられていてもよく、この開口部には、開口部の大きさに応じて格子やメッシュが設けられることが好ましい。【００２０】  前記回転軸は、ゲート扉の一側に設けられる。前記回転軸は、ゲート扉の一側から突出した後下方に延出する形状を含む板状及び棒状の部材によって構成することができる。回転軸は一つでも複数でもよい。【００２１】  前記回動部材は、ゲート扉の一側部で既存の扉に対してゲート扉を回動自在に支持することができる部材であればよい。このような回動部材には、蝶番のように市販の部材をそのまま用いることができるが、例えば、前記ゲート扉の一側に設けられる回転軸と、前記既存の扉に着脱可能に固定され、前記回転軸を回転自在に軸支する軸受けとを有する部材が好ましくは挙げられる。【００２２】  前記軸受けは、前記既存の扉に着脱可能に固定される部材であって、前記回転軸を回転自在に軸支する部材である。軸受けは、前記回転軸が挿入される筒と、この筒が固定されている台座とを有し、螺子によって既存の扉に固定されるか、台座に応じて既存の扉の所定の位置に設けられた貫通孔に挿通されたボルトと、これに螺合するナットとによって固定される部材であってもよい。【００２３】  しかしながら、前記軸受けは、既存の扉に穴を設けずに固定できる部材であることが好ましい。このような前記軸受けとしては、前記既存の扉に着脱可能に挟持される基部と、前記基部に固定され前記回転軸が挿入される筒とを有する部材が挙げられる。前記基部としては、例えば、前記既存の扉の一側に嵌められる、断面形状が矩形の三辺からなる部材と、この部材の対向する二面の一方又は両方に設けられる螺子穴と、この螺子穴に螺合するボルトとから構成される部材が挙げられる。前記軸受けは一つでも複数でもよい。【００２４】  前記回動停止機構は、前記ゲート扉の回動を止める機構である。回動停止機構は、ゲート扉の回動を所望の位置で停止できる機構であってもよいし、所定の位置で停止できる機構であってもよい。回動停止機構は、これらの機構の一つであってもよいし複数であってもよい。【００２５】  ゲート扉の回動を所望の位置で停止できる回動停止機構としては、例えば、前記ゲート扉から前記既存の扉が設けられている屋内の壁又は床まで進退自在な可動部材と、前記可動部材を前記壁又は床に止める抑止部材とを有する機構が挙げられる。前記可動部材には、前記ゲート扉に設けられる閂や落としが挙げられる。可動部材は一つでも複数でもよい。【００２６】  前記抑止部材には、壁又は床に接着する部材、壁又は床との摩擦抵抗が大きい部材、及び壁又は床に設けられた部材によって抑止の機能が働く部材等が挙げられる。壁又は床に接着する部材としては、例えば吸盤が挙げられる。壁又は床との摩擦抵抗が大きい部材としては、例えば壁又は床との設置面がゴムや面ファスナーで構成されている部材が挙げられる。壁又は床に設けられた部材によって抑止の機能が働く部材としては、例えば壁又は床に固定された磁性体に吸いよせられる、ゲート扉に設けられた磁性体や、壁又は床に固定されている窪みに侵入離脱するようにゲート扉に設けられるフランス落としが挙げられる。【００２７】  ゲート扉の回動を所定の位置で停止できる回動停止機構としては、例えば、前記既存の扉と前記ゲート扉とを着脱可能に接着する一体化機構や、前記回転軸が嵌まり込む、前記筒の上縁を切り欠いた切り欠き部が挙げられる。【００２８】  前記一体化機構においては、磁力のような、非接触でもゲート扉を固定する作用が働く機構が好ましく、例えば既存の扉に固定された磁性体と、この磁性体に吸いよせられるようにゲート扉に設けられた磁性体とから形成される機構が挙げられる。【００２９】  前記切り欠き部は、回動しているゲート扉が切り欠き部の位置に達したときに、前記回転軸が切り欠き部に嵌り込み、回動を停止させる機構である。切り欠き部は、このような作用を有すれば、その形状、位置、及び数は特に限定されない。切り欠き部は、ゲート扉と既存の扉とが並列する位置と、ゲート扉が乳幼児の通行を規制する位置とに設けられることが好ましい。【００３０】  以下、図面を用いて本発明をより詳しく説明する。
本発明の一実施形態の保護ゲートを図１に示す。この保護ゲートは、既存の扉Ａに取り付けられており、ゲート扉１と、ゲート扉１の一側に設けられる二つの回転軸２と、既存の扉Ａに着脱可能に固定され、回転軸２を回転自在に軸支する二つの軸受け３と、ゲート扉１から既存の扉Ａが設けられている屋内の床まで進退自在な可動部材としての落とし部材４と、落とし部材４の先端に設けられ、前記床に着脱可能に接着する抑止部材としての吸盤５と、既存の扉Ａの他側に設けられる磁性挟持具６と、ゲート扉１に設けられ磁性挟持具６に吸い付く磁石７とを有する。【００３１】  回転軸２及び軸受け３は、既存の扉Ａに対してゲート扉１をその一側部で回転自在に支持する回動部材を構成している。落とし部材４及び吸盤５は、ゲート扉１の回動を止める回動停止機構を構成している。また磁性挟持具６及び磁石７は、既存の扉Ａとゲート扉１とを着脱可能に接着する一体化機構を構成している。なお、既存の扉Ａは、扉の幅と同等の幅の廊下に面しており、屋内の床は、滑らかな表面を有する、表面が化粧板で構成されている木の床である。【００３２】  ゲート扉１は、既存の扉Ａの幅よりも若干狭い幅に形成され、また１ｍ程度の高さに形成されている。ゲート扉１には、落とし部材４を収容するＬ字型の窪みである収容部８が形成されている（図２に参照）。収容部８は、落とし部材４が下方に進出退行するように案内するために、ゲート扉１の下部においてゲート扉１の一表面側が塞がれて筒状の通路を形成している。【００３３】  軸受け３は、図３及び４に示されるように、既存の扉Ａに着脱可能に挟持される基部９と、基部９に固定され回転軸２が挿入される筒１０とを有する。基部９は、ステンレス等の剛性の材料で形成されており、既存の扉Ａの一側に嵌められる、断面形状が矩形の三辺からなる形状に形成されている。基部９は、既存の扉Ａとその枠との間の許容される間隔よりも薄い、２ｍｍ程度の厚さを有している。また基部９における対向する二面の距離は、既存の扉Ａよりも５ｍｍ程度厚い長さとなっている。基部９の対向する二面のそれぞれには貫通孔が設けられており、この貫通孔の内周面には螺子が切られており、この螺子に螺合するボルト１１、１２がそれぞれの貫通孔に挿通されている。【００３４】  筒１０は、基部９の表面から突出して所定の距離で筒１０を支持する支持部によって基部９に固定されている。ボルト１１、１２は共に六角穴付きボルトであり、ボルト１１、１２の先端の径は１０ｍｍ程度となっている。またボルト１１の長さはボルト１２よりも短く、例えばボルト１１の長さは５ｍｍ程度であり、ボルト１２の長さは１０ｍｍ程度である。軸受け３は、ボルト１１、１２を既存の扉Ａに向けて進出させてボルト１１、１２によって挟持することによって着脱可能に既存の扉Ａに固定されている。【００３５】  磁性挟持具６は、例えば鉄のような磁性体によって、断面形状が矩形の三辺からなる形状となるように形成されており、対向する二つの面が互いに接近する方向にわずかに付勢されるように形成されている。磁性挟持具６は、磁性挟持具６の対向する二つの面の距離が、既存の扉Ａの厚さかそれよりも僅か（１〜２ｍｍ程度）に長い距離となるように形��されている。また磁性挟持具６の対向する二つの面は、ゲート扉１側から見たときに、磁石７と一部（半分以上）又は全部重なるように、これらを繋げる面から十分に突出している。【００３６】  磁石７は、ゲート扉１の他側部における上端部において、ゲート扉１の表裏の両方にそれぞれ埋め込まれている。【００３７】  図１の保護ゲートは、磁石７の磁力によって既存の扉Ａと一体となって収容される。磁石７の磁力に抗してゲート扉１を回動させると、ゲート扉１は自在に回動する。例えば９０度等の所望の開度までゲート扉１が回動したら、落とし部材４を回動させて下方に移動させ、吸盤５を床に吸い付かせる。これによってゲート扉１が所望の開度で固定される（図６参照）。こうして既存の扉Ａの前の廊下はゲート扉１によって閉ざされ、乳幼児の通行が規制される。【００３８】  吸盤５を床から剥がすと、ゲート扉１は再び自在に回動する。落とし部材４を上方へ引き上げ、回動させて収容部８に収容してゲート扉１を既存の扉Ａまで回動させると、磁石７の磁力によってゲート扉１が既存の扉Ａと一体となる。【００３９】  床が絨毯の場合は、吸盤５に代えて、落とし部材４の下方への進出時に面ファスナーが床に当接するように設けられる部材を設けることによって、ゲート扉１の回動を停止させることができる。【００４０】  また、収容部８を、ゲート扉１をＬ字型に切り欠き、少なくともゲート扉１の下端部においてゲート扉１の表裏のいずれからも塞ぐ構成とすると、ゲート扉１の表裏のいずれからも落とし部材４の下方への進出と上方への収容とを行うことが可能となる。【００４１】  なお、本実施の形態では既存の扉Ａの蝶番側に軸受け３を固定し、既存の扉Ａの回動方向と同じ方向にゲート扉１が回動する形態を示したが、既存の扉Ａのドアノブ側に軸受け３を固定して同様に用いることも可能である。【００４２】  本実施形態の保護ゲートは、ゲート扉１と回転軸２と軸受け３と落とし部材４と吸盤５と収容部８とを有することから、既存の扉Ａに着脱可能に取り付けることができる。既存の扉Ａは、通常は屋内を区分するように設けられていることから、屋内の適所（例えば風呂場、洗面所等の水回り設備の手前や階段に通じる通路のドア等）において保護ゲートによって乳幼児の通行を規制することができる。【００４３】  前記保護ゲートは、軸受け３が基部９と筒１０とボルト１１、１２とから構成されていることから、既存の扉Ａをボルト１１及び１２によって挟持することによって、既存の扉Ａを傷つけずに着脱可能に保護ゲートを取り付けることができる。【００４４】  前記保護ゲートは、ボルト１１及び１２を有することから、軸受け３を十分な強度で既存の扉Ａに固定することができる。またボルト１２をボルト１１に比べて長くすることにより、軸受け３の固定において、ゲート扉１が設けられる筒１０側とは反対側のボルト１２によって軸受け３の固定を十分に調節することが可能となり、既存の扉Ａの厚さの多少の変化に適応して軸受け３を既存の扉Ａに着脱可能に固定することができる。【００４５】  前記保護ゲートは、磁性挟持具６と磁石７とを有することから、ゲート扉１を既存の扉Ａに一体的かつ着脱可能に固定することができる。したがって、保護ゲート未使用時におけるゲート扉１の回動を防止することができ、また保護ゲートの装着に関わらず既存の扉Ａを使用することができる。【００４６】  前記保護ゲートは、磁性挟持具６を有することから、既存の扉Ａに容易に、また既存の扉Ａを傷つけずに磁性材料を設置することができる。【００４７】  本発明の保護ゲートは、軸受け３に代えて図７に示される軸受け２１とし、ゲート扉１に代えて図８に示されるゲート扉２２としてもよい。軸受け２１は、筒１０に代えて筒２５が用いられている以外は、軸受け３と同様に構成されている。筒２５は、ゲート扉２２が既存の扉Ａと平行となるときのゲート扉２２の回動位置において回転軸２が嵌り込む切り欠き部２３と、ゲート扉２２が９０°回動したときのゲート扉２２の回動位置において回転軸２が嵌り込む切り欠き部２４とが形成されている。【００４８】  ゲート扉２２は、落とし部材４、吸盤５、収容部８、及び磁石７が形成されておらず、ゲート扉２２の上端縁の中央部に取っ手２６が設けられている以外は、ゲート扉１と同様に構成されている。取っ手２６は、ゲート扉２２の上端部の中央部の貫通孔によって形成されている。なお、既存の扉Ａにおいて、磁性挟持具６は取り外されている。【００４９】  ゲート扉２２が既存の扉Ａと並列の位置にあるときは、回転軸２が切り欠き部２３に嵌り込み、ゲート扉２２の回動が停止され、ゲート扉２２は既存の扉Ａと並列の位置に固定される。取っ手２６を持ってゲート扉２２を僅かに引き上げながら回動させると、ゲート扉２２は回動する。ゲート扉２２が９０°回動すると、回転軸２が切り欠き部２４に嵌り込み、ゲート扉２２の回動が停止され、ゲート扉２２は既存の扉Ａに対して垂直の位置に固定され、既存の扉Ａの前の廊下における乳幼児の通行が規制される。【００５０】  筒２５に形成される切り欠き部は二つに限定されず、さらに設けてもよい。また、回転軸２の先端に、筒２５の内径よりも大きな直径の円板やナット等の止め具を、例えば回転軸２の先端部に形成された螺子に螺合させて装着すると、ゲート扉２２の回動時におけるゲート扉２２の軸受け２１からの脱落を防止する観点からより効果的である。【００５１】  この保護ゲートは、ゲート扉２２の所定の回動位置において、落とし部材４や閂等の、屋内の床や壁と関わりあってゲート扉の回動を停止させる部材を設けずに、ゲート扉２２の回動を停止させることができる。したがって、落とし部材等の部材を有さない簡易な構成で屋内での乳幼児の通行を規制することができる。また、屋内の床や壁に作用せずにゲート扉２２の回動が停止されることから、床や壁の材質に関わらずに屋内における乳幼児の通行を規制する観点からより効果的である。
【産業上の利用可能性】
【００５２】  本発明の保護ゲートは、既存の扉に着脱可能に取り付け可能である。既存の扉は、一般に屋内の構造に応じて適切に設けられていることから、屋内での生活に応じた乳幼児の通行の適切な規制を容易に行うことができる。特に一歳前後のいわゆる「後追い」の時期において、屋内での生活と乳幼児の保護のための通行規制とを両立させる観点から好適である。【００５３】  また、既存の扉を傷つけずに着脱可能に取り付けられることから、従来の保護ゲートに比べて設置に係る壁の損傷を抑えることができる。保護ゲートを必要とする時期は数年間であることから、このような設置による損傷が少ない保護ゲートは、特に賃貸や新築の家屋での使用に適している。
【図１】
2009091878.tif 000003
【図２】
2009091878.tif 000004
【図３】
2009091878.tif 000005
【図４】
2009091878.tif 000006
【図５】
2009091878.tif 000007
【図６】
2009091878.tif 000008
【図７】
2009091878.tif 000009
【図８】
2009091878.tif 000010